(57)【要約】      （修正有）【課題】各種キャッシュカード等をはじめとする各種カード類を簡易に収納できることは勿論、特にカードの取り出しを簡単に行なうことができるようにした改良カード入れ具を提供する。【解決手段】本改良カード入れ具１は、本体部２のいずれかの部分面に形成した各種のカードを挿入して収納できるようにした複数の各ポケット４と、該ポケット４の挿入口端部５のいずれかの部分に形成されて、カードを取り出す際に指で収納されているカードの上端を簡単に摘んで取り出すことができるようにした下方に大きく湾曲した湾曲部６とを具備し、ポケット４内に収納されている多数枚の各カードをその都度簡単に取り出せるように構成したものである。【選択図】図１
0003165920.tif 000002
【実用新案登録請求の範囲】
【請求項１】
本体部のいずれかの部分面に形成した各種のカードを挿入して収納できるようにした複数の各ポケットと、
前記ポケットの挿入口端部のいずれかの部分に形成されて、カードを取り出す際に指で収納されているカードの上端を簡単に摘んで取り出すことができるようにした下方に大きく湾曲した湾曲部と、
を具備し、
前記ポケット内に収納されている多数枚の各カードをその都度簡単に取り出せるように構成したことを特徴とする改良カード入れ具。
【請求項２】
本体部のいずれかの部分面に形成した各種のカードを挿入して収納できるようにした複数の各ポケットと、
前記ポケットの挿入口端部のいずれかの部分に形成されて、カードを取り出す際に指で収納されているカードの上端を簡単に摘んで取り出すことができるようにした下方に大きく湾曲した湾曲部と、
前記ポケットの挿入口端部における湾曲部に該当する裏面位置の本体部内で、当該湾曲部の部分が僅かに持ち上がってポケットの挿入口端部における湾曲部の部分に僅かな隙間ができるように配置されて、ポケットの挿入口端部からカードを取り出す際に、湾曲部の当該隙間でもって、指で収納されているカードの上端を簡単に摘んで取り出すことができるように配置した裏あて材と、
を具備し、
前記ポケット内に収納されている多数枚の各カードをその都度簡単に取り出せるように構成したことを特徴とする改良カード入れ具。
【請求項３】
本体部のいずれかの部分面に形成した各種のカードを挿入して収納できるようにした複数の各ポケットと、
前記ポケットの挿入口端部のいずれかの部分に形成されて、カードを取り出す際に指で収納されているカードの上端を簡単に摘んで取り出すことができるようにした下方に大きく湾曲した湾曲部と、
前記ポケットの挿入口端部における湾曲部に該当する裏面位置の本体部内で、当該湾曲部の部分が僅かに持ち上がってポケットの挿入口端部における湾曲部の部分に僅かな隙間ができるように配置されて、ポケットの挿入口端部からカードを取り出す際に、湾曲部の当該隙間でもって、指で収納されているカードの上端を簡単に摘んで取り出すことができるように配置した裏あて材と、
前記ポケットの挿入口端部における最上段における湾曲部の僅かな上方位置、すなわち最上段位置のポケット内にカードを収納した場合に当該カードの上半身部分の裏面位置に該当する本体部表面の位置に付着した１〜２ｍｍの厚さの小片と、
を具備し、
前記ポケット内に収納されている多数枚の各カードをその都度簡単に取り出せるように構成したことを特徴とする改良カード入れ具。
【考案の詳細な説明】
【技術分野】
【０００１】
本考案は、各種キャッシュカード等をはじめとする各種カード類を簡易に収納できることは勿論、特にカードの取り出しを簡単に行なうことができるようにした改良カード入れ具に関するものである。
【背景技術】
【０００２】
従来、キャッシュカード等の各種カード類を簡易に収納して携帯できるようにしたケース類の形態とした各種のカード入れ具が存在する。
しかしながら、特許文献１をはじめとする従来におけるケース類の形態とした各種のカード入れ具においては、カード類を収納するケース部分に何らの工夫も施されておらず、当該部分が単なる袋状に形成されているだけのもので、カードを簡単に、素早く取り出すための工夫、改良が施されていないことから、その都度、必要とするカードを取り出すのに、指で簡単にカード上端を摘み出せないというという問題があった。
特に、キャッシュカード等のカード類を徐々に多数収納するに沿って、当該ケースを形成する部分が異常に膨れあがってしまうような状態の場合、収納されている各カードが相互に圧接されていることから、カードを取り出すのに一層面倒な手間であるという問題があった。
【先行技術文献】
【特許文献】
【０００３】
【特許文献１】登録実用新案第３０４７８３６号公報
【考案の概要】
【考案が解決しようとする課題】
【０００４】
本考案は、カード類を収納するケース部分に改良を施すことにより前記従来の問題を解消するようにしたカード入れ具を実現し提供することを目的とする。
【課題を解決するための手段】
【０００５】
本考案の改良カード入れ具１は、前記課題を解決するために、本体部２のいずれかの部分面に形成した各種のカード３を挿入して収納できるようにした複数の各ポケット４と、前記ポケット４の挿入口端部５のいずれかの部分に形成されて、カード３を取り出す際に指で収納されているカード３の上端を簡単に摘んで取り出すことができるようにした下方に大きく湾曲した湾曲部６と、を具備し、前記ポケット４内に収納されている多数枚のカード３をその都度簡単に取り出せるように構成したことを最も主要な特徴とする。
【考案の効果】
【０００６】
請求項１記載の改良カード入れ具１によれば、前記ポケット４の挿入口端部５のいずれかの部分に形成されて、カード３を取り出す際に指で収納されているカード３の上端を簡単に摘んで取り出すことができるようにした下方に大きく湾曲した湾曲部６を具備しているので、前記ポケット４内に収納されている多数枚のカード３をその都度簡単に取り出せるように構成したことを特徴とする改良カード入れ具１を実現し提供できる。
【０００７】
請求項２記載の改良カード入れ具１によれば、前記ポケット４の挿入口端部５のいずれかの部分に形成されて、カード３を取り出す際に指で収納されているカード３の上端を簡単に摘んで取り出すことができるようにした下方に大きく湾曲した湾曲部６を具備しているとともに、ポケット４の挿入口端部５からカード３を取り出す際に、湾曲部６の当該隙間でもって、指で収納されているカード３の上端を簡単に摘んで取り出すことができるように配置した裏あて材７を具備しているので、前記ポケット４内に収納されている多数枚のカード３を、その都度、一層簡単に取り出せるように構成したことを特徴とする改良カード入れ具１を実現し提供できる。
【図面の簡単な説明】
【０００８】
【図１】図１は例えば一枚物の形態とした本考案の実施例に係る改良カード入れ具１の表面図である。
【図２】図２は例えば一枚物の形態とした本考案の実施例に係る改良カード入れ具１の裏面図である。
【図３】図３は例えば一枚物の形態とした本考案の実施例に係る改良カード入れ具１の使用状態を示す説明図である。
【図４】図４は例えば折り畳み式の形態とした本考案の実施例に係る改良カード入れ具１Ａを開いた状態の表面図である。
【考案を実施するための形態】
【０００９】
本考案は、本体部のいずれかの部分面に形成した各種のカードを挿入して収納できるようにした複数の各ポケットと、前記ポケットの挿入口端部のいずれかの部分に形成されて、カードを取り出す際に指で収納されているカードの上端を簡単に摘んで取り出すことができるようにした下方に大きく湾曲した湾曲部と、を具備し、前記ポケット内に収納されている多数枚の各カードをその都度簡単に取り出せるように構成し実現した。
【実施例】
【００１０】
以下に、本考案の実施例に係る改良カード入れ具について図１乃至図４を参照して詳細に説明する。
【実施例１】
【００１１】
本考案の実施例に係る改良カード入れ具の改良構成は、カード入れ具自体の材質、形状、サイズや形態（例えば一枚物の形態、折り畳み式の形態等）は特に限定するものではなく、要は各種キャッシュカード等をはじめとする各種カード類を簡易に収納できるようにしたカード入れ具に適用できる。
【００１２】
図１は例えば一枚物の形態とした本考案の実施例に係る改良カード入れ具の表面図、図２は同使用状態を示す説明図、図３は一部を切欠した状態の同裏面図、図４は例えば折り畳み式の形態とした本考案の実施例に係る改良カード入れ具を開いた状態の表面図である。
図１乃至図３に示す例えば一枚物の形態とした改良カード入れ具１は、例えば天然皮革材、人工皮革、樹脂材、布材等から形成されて携帯可能となっていて、図１、図２に示すように、本体部２の一方の面に各種のカード３を挿入して収納できるような複数の各ポケット４が形成されている。
【００１３】
前記ポケット４は、図示するように、ポケット４の挿入口端部５のいずれかの部分に、カード３を抜き出す際、取り出す際に、指で収納されているカード３の上端を簡単に摘んで取り出すことができるように、なだらかに下方に大きく湾曲した湾曲部６を形成して、ポケット４内に収納されている多数枚のカード３を簡単に取り出せるように構成したことが第１の特徴である。
なお、図示する湾曲部６は、ポケット４の挿入口端部５の左位置に設けているが、本考案においては、これをポケット４の挿入口端部５の右位置、中央位置等の自在な位置に設けるように構成しても良い。
また、本考案においては、ポケット４内に収納されているカード３を簡単に取り出せるように構成したことが第１の特徴であることから、湾曲部６の湾曲状態は、カード取り出しの際に当該湾曲部６の湾曲部分に最初に接触する部分である親指の腹の部分（爪とは反対の部分）に合致するような形態として実施すると好都合である。
【００１４】
前記ポケット４の挿入口端部５における湾曲部６に該当する裏面位置には、図３に示すように、湾曲部６の部分が僅かに持ち上がってポケット４の挿入口端部５における湾曲部６の部分に僅かな隙間ができるように、本体部２内に適当な裏あて材７を配置して、ポケット４の挿入口端部５からカード３を抜き出す際、取り出す際に、湾曲部６の当該隙間でもって、指で収納されているカード３の上端を簡単に摘んで取り出すことができるように構成したことが第２の特徴である。
なお、前記裏あて材７としては、特にその材質を限定するものではないが、本体部２内にこれが設置されて、湾曲部６の部分が僅かに持ち上がってポケット４の挿入口端部５における湾曲部６の部分に僅かな隙間ができるようなものであれば良く、例えば、ゴム材片、皮革材片、樹脂材変、紙材片等を用いることができる。
【００１５】
本考案の実施例１の改良カード入れ具１によれば、ポケット４の挿入口端部５のいずれかの部分に、カード３を抜き出す際、取り出す際に、指で収納されているカード３の上端を簡単に摘んで取り出すことができるように、なだらかに下方に大きく湾曲した湾曲部６を形成していることから、ポケット４内に収納されている多数枚のカード３をその都度簡単に取り出すことができる。
【００１６】
更に、本考案の実施例１の改良カード入れ具１によれば、前記ポケット４の挿入口端部５における湾曲部６に該当する裏面位置には、湾曲部６の部分が僅かに持ち上がってポケット４の挿入口端部５における湾曲部６の部分に僅かな隙間ができるように、本体部２内に裏あて材７を配置していることから、ポケット４の挿入口端部５からカード３を抜き出す際、取り出す際に、湾曲部６の当該隙間でもって、前記湾曲部６を形成した作用とともに、指で収納されているカード３の上端を、その都度、一層簡単に摘んで取り出すことができる。
【００１７】
なお、本考案においては、前記ポケット４の挿入口端部５における最上段における湾曲部６の僅かな上方（最上段位置のポケット内にカードを収納した場合に当該カードの上半身部分の裏面位置）に該当する本体部表面の位置に、適当な厚さ（例えば１〜２ｍｍ）の小片８を付着するようにして実施しても良い。
この場合、小片８の厚さにより、最上段位置のポケット内に収納されているカードの上半身部分の裏面位置に一層の隙間ができることになるから、特に最上段のポケット内に収納されているカードを一層簡単に指で摘んで取り出すことができ、高齢者によっては、最上段位置のポケット内に収納されているカードが特に取り出し難いという事態に対処できる。
【実施例２】
【００１８】
図４に示す例えば折り畳み式の形態とした改良カード入れ具１Ａは、例えば天然皮革材、人工皮革、樹脂材、布材等から形成され、右本体部２Ａ、左本体部２Ｂとからなり、これをほぼ中心部分から二つ折りにして携帯可能となっていて、前記右本体部２Ａ、左本体部２Ｂの各内側面には、各種のカード３を挿入して収納できるような複数の各ポケット４Ａ、４Ｂが形成されている。
【００１９】
前記ポケット４Ａ、４Ｂは、図示するように、ポケット４Ａ、４Ｂの夫々の挿入口端部５Ａ、５Ｂのいずれかの部分に、カード３を抜き出す際、取り出す際に、指で収納されているカード３の上端を簡単に摘んで取り出すことができるように、なだらかに下方に大きく湾曲した湾曲部６Ａ、６Ｂを形成して、ポケット４Ａ、４Ｂ内に収納されている多数枚のカード３を簡単に取り出せるように構成したことが第１の特徴である。
なお、図示する各湾曲部６Ａ、６Ｂは、各ポケット４Ａ、４Ｂの挿入口端部５Ａ、５Ｂの左位置、右位置に設けているが、本考案においては、前記実施例１の場合と同様に、これをポケット４Ａ、４Ｂの挿入口端部５Ａ、５Ｂの自在な位置に設けるように構成しても良い。
また、本考案においては、前記実施例１の場合と同様に、湾曲部６Ａ、６Ｂの湾曲状態は、カード取り出しの際に当該湾曲部６Ａ、６Ｂの湾曲部分に最初に接触する部分である親指の腹の部分（爪とは反対の部分）に合致するような形態として実施すると好都合である。
【００２０】
前記ポケット４Ａ、４Ｂの挿入口端部５Ａ、５Ｂにおける湾曲部６Ａ、６Ｂに該当する裏面位置には、前記実施例１の図３に示すように、夫々の湾曲部６Ａ、６Ｂの部分が僅かに持ち上がってポケット４Ａ、４Ｂの挿入口端部５Ａ、５Ｂにおける湾曲部６Ａ、６Ｂの部分に僅かな隙間ができるように、右本体部２Ａ、左本体部２Ｂ内に適当な裏あて材７Ａ、７Ｂを配置して、ポケット４Ａ、４Ｂの挿入口端部５Ａ、５Ｂからカード３を抜き出す際、取り出す際に、湾曲部６Ａ、６Ｂの当該隙間でもって、指で収納されているカード３の上端を簡単に摘んで取り出すことができるように構成したことが第２の特徴である。
なお、前記裏あて材７Ａ、７Ｂとしては、実施例１で説明したように、特にその材質を限定するものではなく、本体部２内にこれが設置されて、湾曲部６Ａ、６Ｂの部分が僅かに持ち上がってポケット４Ａ、４Ｂの挿入口端部５Ａ、５Ｂにおける湾曲部６Ａ、６Ｂの部分に僅かな隙間ができるようなものであれば良く、例えば、ゴム材片、皮革材片、樹脂材変、紙材片等を用いることができる。
【００２１】
本考案の実施例２の改良カード入れ具１Ａによれば、前記実施例１の場合と同様に、ポケット４Ａ、４Ｂの挿入口端部５Ａ、５Ｂのいずれかの部分に、カード３を抜き出す際、取り出す際に、指で収納されているカード３の上端を簡単に摘んで取り出すことができるように、なだらかに下方に大きく湾曲した湾曲部を形成していることから、ポケット４Ａ、４Ｂ内に収納されている多数枚のカード３をその都度簡単に取り出すことができる。
【００２２】
更に、本考案の実施例２の改良カード入れ具１Ａによれば、前記各ポケット４Ａ、４Ｂの挿入口端部５Ａ、５Ｂにおける湾曲部６Ａ、６Ｂに該当する裏面位置には、湾曲部６Ａ、６Ｂの部分が僅かに持ち上がってポケット４Ａ、４Ｂの挿入口端部５Ａ、５Ｂにおける湾曲部６Ａ、６Ｂの部分に僅かな隙間ができるように、右本体部２Ａ、左本体部２Ｂ内に裏あて材７Ａ、７Ｂを配置していることから、４Ａ、４Ｂの挿入口端部５Ａ、５Ｂからカード３を抜き出す際、取り出す際に、湾曲部６Ａ、６Ｂの当該隙間でもって、前記湾曲部６Ａ、６Ｂを形成した作用とともに、指で収納されているカード３の上端を、その都度、一層簡単に摘んで取り出すことができる。
なお、本考案においては、図４の前記各ポケット４Ａ、４Ｂの各挿入口端部５Ａ、５Ｂにおける最上段における各湾曲部６Ａ、６Ｂの僅かな上方（最上段位置のポケット内にカードを収納した場合に当該カードの上半身部分の裏面位置）に該当する本体部表面の位置に、適当な厚さ（例えば１〜２ｍｍ）の小片８Ａ、８Ｂを付着するようにして実施しても良い。
この場合、小片８Ａ、８Ｂの厚さにより、最上段位置のポケット内に収納されているカードの上半身部分の裏面位置に一層の隙間ができることになるから、特に最上段のポケット内に収納されているカードを一層簡単に指で摘んで取り出すことができ、高齢者によっては、最上段位置のポケット内に収納されているカードが特に取り出し難いという事態に対処できる。
【産業上の利用可能性】
【００２３】
本考案の改良カード入れ具は、各種キャッシュカード等をはじめとする各種カード類を簡易に収納できる各種のカード入れ具に適用できることの他、高齢者が保持するカード類に似ている年金関係をはじめとする各種の証明書等々の書面入れ具にも好適である。
【符号の説明】
【００２４】
１      改良カード入れ具
２      本体部
３      カード
４      ポケット
５      挿入口端部
６      湾曲部
７      裏あて材
８      小片
２Ａ    右本体部
２Ｂ    左本体部
４Ａ    ポケット
４Ｂ    ポケット
５Ａ    挿入口端部
５Ｂ    挿入口端部
６Ａ    湾曲部６Ａ
６Ｂ    湾曲部６Ａ
７Ａ    裏あて材
７Ｂ    裏あて材
８Ａ    小片
８Ｂ    小片
【図１】
0003165920.tif 000003
【図２】
0003165920.tif 000004
【図３】
0003165920.tif 000005
【図４】
0003165920.tif 000006